(57)【要約】      （修正有）【課題】新規な子犬作動玩具を提供すること。【解決手段】方向転換機構（１２）により正逆方向に駆動するモータ（４）によって作動する子犬作動玩具（１）であって、子犬形ケース（２）内に、前記モータ（４）と、一又は複数のギア、クランク、バネ等が取り付けられた第１軸（２１）から第８軸（４６）を少なくとも含むギア部（５）と、を設けることにより、多様で且つ生動感のある動作演出が可能な子犬作動玩具を提供する。該子犬作動玩具によって、実際の動物のような親近感、及び、十分な遊戯性及び娯楽感を提供できる。【選択図】図１
0003128518.tif 000002
【実用新案登録請求の範囲】
【請求項１】
方向転換機構（１２）により正逆方向に駆動するモータ（４）によって作動する子犬作動玩具（１）であって、
子犬形ケース（２）内に、前記モータ（４）と、下記の第１軸（２１）から第８軸（４６）を少なくとも含むギア部（５）と、が設けられた子犬作動玩具。
（Ｉ）モータ軸に取り付けられたモータギア（２０）と噛み合ってモータ回転力を減速させる第１減速ギア（２２ａ）と、第２減速ギア（２２ｂ）と、が取り付けられた第１軸（２１）。
（II）前記第２減速ギア（２２ｂ）と噛み合う第３減速ギア（２４）と、案内ピニオンギア（２５）と、が取り付けられた第２軸（２３）。
（III）前記案内ピニオンギア（２５）と噛み合い、かつ、カム突起（２７ａ）を有する固定カムギア（２７）と、前記案内ピニオンギア（２５）と噛み合い、かつ、前記カム突起（２７ａ）が嵌入する作動溝（２８ａ）を有する可動ギア（２８）と、該可動ギア（２８）を前記固定カムギア（２７）へ押圧する第１バネ（２９）と、前記可動ギア（２８）と前記バネ（２９）とで挟持された可動ピニオンギア（３０）と、が取り付けられた第３軸（２６）。
（IV）前記カム突起（２７ａ）が前記作動溝（２８ａ）へ非嵌入時、前記可動ピニオンギア（３０）と噛み合う固定クラッチギア（３２）、及び第１遊びギア（３３）と、該第１遊びギア（３３）より小さい外径の第２遊びギア（３４）と、前記固定クラッチギア（３２）とクラッチ結合する可動クラッチピニオンギア（３６）と、該可動クラッチピニオンギア（３６）を前記固定クラッチギア（３２）へ押圧する第２バネ（３５）と、が取り付けられた第４軸（３１）。
（Ｖ）前記第２遊びギア（３４）と噛み合う第３遊びギア（３８）と、前記可動クラッチピニオンギア（３６）と噛み合う足位置可動ギア（３９）と、子犬作動玩具（１）の足部（９ａ、９ｂ）に連結される可動クランク（６）と、が取り付けられた第５軸（３７）。
（VI）前記第３遊びギア（３８）に噛み合う可動クラッチギア（４１）と、子犬作動玩具１の頭部（１１）に連結される頭駆動クランク（８）と、前記可動クラッチギア（４１）を前記頭駆動クランク（８）へ押圧する第１復元バネ（４２）と、が取り付けられた第６軸（４０）。
（VII）前記カム突起（２７ａ）が前記作動溝（２８ａ）へ嵌入時、前記可動ピニオンギア（３０）と噛み合う第１足駆動ギア（４４）と、前記第２遊びギア（３４）と噛み合う第２足駆動ギア（４５）と、子犬作動玩具（１）の足部（９ａ、９ｂ）に連結される第１及び第２足駆動クランク（６１、６２）と、が取り付けられた第７軸（４３）。
（VIII）前記カム突起（２７ａ）が前記作動溝（２８ａ）へ嵌入時、前記第３軸（２６）の前記可動ピニオンギア（３０）と噛み合う尾駆動ギア（４７）と、子犬作動玩具（１）の尾部（１０）に連結される尾駆動クランク（７）と、が取り付けられた第８軸（４６）。
【請求項２】
前記第５軸（３７）の前記可動クランク（６）は、子犬作動玩具（１）の前足（９ａ）とロッド（５５）を介して連結され、
該ロッド（５５）と前記可動クランク（６）の結合部と、前記子犬型ケース（２）と、の間に第２復元バネ（５６）が備えられ、
前記第７軸（４３）には第３バネ（５０）が取り付けられ、
該第３バネ（５０）は、前記第２足駆動ギア（４５）を摺動可能な状態で前記第１足駆動クランク（６１）へ押圧し、
前記第２足駆動ギア（４５）には、第１鋸歯型クラッチ（５１）が備えられ、
前記第１足駆動クランク（６１）には、前記第１鋸歯型クラッチ（５１）とクラッチ結合する第２鋸歯型クラッチ（５２）が備えられ、
前記第２足駆動クランク（６２）には、前記第７軸（４３）に取り付けるための第１係止突起（５３）が備えられ、
前記第７軸（４３）には、前記第１係止突起（５３）と嵌合する第２係止突起（５４）が備えられていることを特徴とする請求項１記載の子犬作動玩具。
【請求項３】
前記可動クランク（６）は、子犬作動玩具（１）の後足（９ｂ）とロッド（６ａ）を介して連結され、
後足（９ｂ）の回転中心位置を変更可能とすることを特徴とする請求項１記載の子犬作動玩具。
【請求項４】
前記可動クランク（６）は、子犬作動玩具（１）の前足（９ａ）とロッド（６ｂ）を介して連結され、
前足（９ａ）の固定角度を変更可能とすることを特徴とする請求項１記載の子犬作動玩具。
【考案の詳細な説明】
【技術分野】
【０００１】
本考案は、動力源を用いて動作させる子犬作動玩具に関する。より詳しくは、子犬作動玩具に設置されている方向転換機構によってモータの回転方向を変え、回転方向の違いにより多様な動作を具現し得る子犬作動玩具に関する。
【背景技術】
【０００２】
一般に、動物をキャラクタとした作動玩具は、コイヌ、ネコ、キリンなどが広く知られている。このような既存の動物作動玩具は、ギア配列及びカム作動などを通して歩く動作と一緒に鳴き声や尾を振る動作など、いろんな動作及び発声が組み合わせられるように構成されている。
【０００３】
代表的な子犬作動玩具では、足を動かす動作では、特別な変化無しに作動玩具が前後方に歩く動作だけを繰り返すように構成されることが多い。あるいは、歩く動作に、尻尾を振る動作、鳴き声を上げる動作等を付加するにすぎないため、主な需要者である子供たちにとって、十分な遊戯性及び娯楽感を提供することには限界があった。
【０００４】
本考案者は、上記の課題を解決するため、動力源を用いて動作させる子犬玩具であって、頭部を動作させる頭部作動機構と、尻尾を動作させる尻尾作動機構と、四足を動作させて前進させる前進作動機構と、同じく後進させる後進作動機構と、と備え、かつ、取っ手操作のような簡単な機構からなる操作によって各作動機構の中から一又は複数を選択することが可能な動作選択手段を備える子犬玩具を開発した（特許文献１）。
【０００５】
しかし、前記の先行考案に係る子犬玩具には、子犬の生動感のある動作を表現するために、まだまだ改良の余地があった。
【特許文献１】実用新案登録第３１１６０８５号公報
【考案の開示】
【考案が解決しようとする課題】
【０００６】
そこで、本考案では、子犬作動玩具がまるで生きているかのような生動感のある動作を具現し、実際の動物のような親近感を与えると共に、十分な遊戯性及び娯楽感を提供することを主目的とする。
【課題を解決するための手段】
【０００７】
本考案者は、多様な動作の演出が可能とするために、モータの回転方向を変えることで動作変化が可能な新規子犬作動玩具を開発した。本考案では、モータの回転方向を外部操作によって正回転又は逆回転するように構成し、モータの回転方向に応じて子犬作動玩具の動作が相異に演出できるようにギア配列を行った。
【０００８】
本発明では、方向転換機構（１２）により正逆方向に駆動するモータ（４）によって作動する子犬作動玩具（１）であって、子犬形ケース（２）内に、前記モータ（４）と、下記の第１軸（２１）から第８軸（４６）を少なくとも含むギア部（５）と、を設けた子犬作動玩具を提供する。
（Ｉ）モータ軸に取り付けられたモータギア（２０）と噛み合ってモータ回転力を減速させる第１減速ギア（２２ａ）と、第２減速ギア（２２ｂ）と、を取り付けた第１軸（２１）。
（II）前記第２減速ギア（２２ｂ）と噛み合う第３減速ギア（２４）と、案内ピニオンギア（２５）と、を取り付けた第２軸（２３）。
（III）前記案内ピニオンギア（２５）と噛み合い、かつ、カム突起（２７ａ）を有する固定カムギア（２７）と、前記案内ピニオンギア（２５）と噛み合い、かつ、前記カム突起（２７ａ）が嵌入する作動溝（２８ａ）を有する可動ギア（２８）と、該可動ギア（２８）を前記固定カムギア（２７）へ押圧する第１バネ（２９）と、前記可動ギア（２８）と前記バネ（２９）とで挟持された可動ピニオンギア（３０）と、を取り付けた第３軸（２６）。
（IV）前記カム突起（２７ａ）が前記作動溝（２８ａ）へ非嵌入時、前記可動ピニオンギア（３０）と噛み合う固定クラッチギア（３２）、及び第１遊びギア（３３）と、該第１遊びギア（３３）より小さい外径の第２遊びギア（３４）と、前記固定クラッチギア（３２）とクラッチ結合する可動クラッチピニオンギア（３６）と、該可動クラッチピニオンギア（３６）を前記固定クラッチギア（３２）へ押圧する第２バネ（３５）と、を取り付けた第４軸（３１）。
（Ｖ）前記第２遊びギア（３４）と噛み合う第３遊びギア（３８）と、前記可動クラッチピニオンギア（３６）と噛み合う足位置可動ギア（３９）と、子犬作動玩具（１）の足部（９ａ、９ｂ）に連結する可動クランク（６）と、を取り付けた第５軸（３７）。
（VI）前記第３遊びギア（３８）に噛み合う可動クラッチギア（４１）と、子犬作動玩具１の頭部（１１）に連結する頭駆動クランク（８）と、前記可動クラッチギア（４１）を前記頭駆動クランク（８）へ押圧する第１復元バネ（４２）と、を取り付けた第６軸（４０）。
（VII）前記カム突起（２７ａ）が前記作動溝（２８ａ）へ嵌入時、前記可動ピニオンギア（３０）と噛み合う第１足駆動ギア（４４）と、前記第２遊びギア（３４）と噛み合う第２足駆動ギア（４５）と、子犬作動玩具（１）の足部（９ａ、９ｂ）に連結する第１及び第２足駆動クランク（６１、６２）と、を取り付けた第７軸（４３）。
（VIII）前記カム突起（２７ａ）が前記作動溝（２８ａ）へ嵌入時、前記第３軸（２６）の前記可動ピニオンギア（３０）と噛み合う尾駆動ギア（４７）と、子犬作動玩具（１）の尾部（１０）に連結する尾駆動クランク（７）と、を取り付けた第８軸（４６）。
【０００９】
本発明に係る子犬作動玩具は、上記のような構造とすることで、モータ正回転時には、吠えながら尻尾を振り尻込みする第１動作と、前方へ歩いて行く動作とを繰り返すことができ、モータ逆回転時には、尻尾を振りながら前方へ歩いて行く第１動作と、頭を振って吠えながら座る繰り返し動作とともに足が動くことに伴って体を上下左右に振る第２動作とを繰り返すことができる。
【００１０】
前記モータ駆動方向の転換手段は、自由に設計することができるが、一例としては、子犬作動玩具の外部に設けた方向転換機構（１２）により方向転換できるように設計することが可能である。
【００１１】
本発明に係る子犬作動用玩具（１）は、前記第７軸（４３）に第３バネ（５０）を取り付け、該第３バネ（５０）は、前記第２足駆動ギア（４５）を摺動可能な状態で前記第１足駆動クランク（６１）へ押圧し、前記第２足駆動ギア（４５）には、第１鋸歯型クラッチ（５１）を備え、前記第１足駆動クランク（６１）に、前記第１鋸歯型クラッチ（５１）とクラッチ結合する第２鋸歯型クラッチ（５２）を備え、前記第２足駆動クランク（６２）に、前記第７軸（４３）に取り付けるための第１係止突起（５３）を備え、前記第７軸（４３）に、前記第１係止突起（５３）と嵌合する第２係止突起（５４）を備えることもできる。
【００１２】
このような構造を付加することで、モータ正回転時には、吠えながら尻尾を振り、足が動くことに伴って体を上下左右に振る第１動作と、前方に走る第２動作とを繰り返すことができ、モータ逆回転時には、頭を振って吠えながら前足を前方へ伸ばす動作を繰り返す第１動作と、尻尾を振りながら前方に走る第２動作とを繰り返すことができる。
【００１３】
更に、前記第５軸（３７）の前記可動クランク（６）と、子犬作動玩具（１）の前足（９ａ）と、をロッド（５５）を介して連結し、該ロッド（５５）と前記可動クランク（６）の結合部と、前記子犬型ケース（２）と、の間に第２復元バネ（５６）を備えることにより、前記前足（９ａ）を前方へ伸ばす動作と、元に戻る動作とを繰り返す動作を実現させることができる。
【００１４】
また、本発明に係る子犬作動玩具の前記可動クランク（６）と、子犬作動玩具（１）の後足（９ｂ）と、をロッド（６ａ）を介して連結し、後足（９ｂ）の回転中心位置を変更可能とすることにより、座る動作を演出することも可能である。
【００１５】
あるいは、本発明に係る子犬作動玩具の前記可動クランク（６）と、子犬作動玩具（１）の前足（９ａ）と、をロッド（６ｂ）を介して連結し、前足（９ａ）の固定角度を変更可能とすることにより、伏せる動作を演出することも可能である。
【考案の効果】
【００１６】
本考案に係る子犬作動玩具は、モータを正逆方向に駆動させ、モータの回転方向によって多様な動作が繰り返して具現できるようにしたので、多様で且つ生動感のある動作演出が可能である。これにより、珍しさ及び好奇心などを誘発させることができるので、親近感を与えると共に、十分な遊戯性及び娯楽感を提供することができる。
【考案を実施するための最良の形態】
【００１７】
以下、本考案を実施するための好適な形態について図面を参照しながら説明する。なお、以下に説明する実施形態は、本考案の代表的な実施形態の一例を示したものであり、これにより本考案の範囲が狭く解釈されることはない。
【００１８】
＜第１実施形態の概要＞
本考案の第１の実施形態は、モータの回転方向を簡単に制御するために、子犬作動玩具の前方に設置されている方向転換機構（スイッチ）の操作によってモータの回転方向を変えて、子犬作動玩具の動作が相異に演出できるようにギア配列したものである。モータ正回転時、吠えて尾を振りながら後方へ歩く第１動作と、前方へ歩いて行く第２動作とを繰り返し、モータ逆回転時、尾を振りながら前方へ歩く第１動作と、頭を振って吠えながら座る繰り返し動作とともに足が動くことに伴って体を上下左右に振る第２動作とを繰り返すことを特徴とする。
【００１９】
＜第１実施形態に係る子犬作動玩具の構成例＞
まず、図１から図３を用いて、本考案の第１実施形態に係る子犬作動玩具の構成例を説明する。
【００２０】
図１は、本考案に係る子犬作動玩具１の構成例を示す側面図である。
【００２１】
この子犬作動玩具１は、胴体部を形成する子犬型ケース２の内側にフレーム３が固設されている。該フレーム３の内部には、モータ４と該モータ４によって駆動される各ギアを内蔵したギア部５を備えている。また、前記フレーム３には、各クランク（第１足駆動クランク６１、尾駆動クランク７、及び頭駆動クランク８）を介して、足部９ａ、９ｂ、尾部１０、及び発音機構が内蔵された頭部１１が取り付けられている。
【００２２】
前記モータ４は、子犬型ケース２の前方に設置されている方向転換機構（スイッチ）１２の操作によって、回転方向（正方向、逆方向）を簡単に変えることができる。本考案に係る子犬作動玩具１は、方向転換機構（スイッチ）１２の操作一つで、後述するような多様な動作の演出が可能である。
【００２３】
図１では、モータ４の回転方向を変換させる手段として、外部からのスイッチ操作を例示しているが、これに限定されない。即ち、外部から、モータ４の回転方向を変換させ得る手段であれば特に限定されず、あらゆる操作方法を採用することが可能である。
【００２４】
続いて、図２を用いて、ギア部５の内部構成を説明する。図２は、ギア部５の内部構成を示す側面図である。
【００２５】
ギア部５は、第１軸から第８軸（図２中符号２１（第１軸）、２３（第２軸）、２６（第３軸）、３１（第４軸）、３７（第５軸）、４０（第６軸）、４３（第７軸）、４６（第８軸））を有し、それぞれ一又は複数のギアが固定されている。それぞれの軸に固定されるギア配置の例を、図３を用いて詳しく説明する。
【００２６】
図３は、ギア部５のギア配列の例を示す上方視内部分解模式図である。なお、便宜上、図３では（Ｉ）から（III）に更に分解して示す。図３（Ｉ）から（III）中の、同一の軸を示す箇所を破線で結ぶ。
【００２７】
図３（Ｉ）に示すように、モータ４の軸にモータギア２０が取り付けられている。該モータギア２０は、第１軸２１に取り付けられた第１減速ギア２２ａと噛み合う。該第１減速ギア２２ａと同時に、同第１軸に取り付けられた第２減速ギア２２ｂも駆動する。該第２減速ギア２２ｂは、第２軸２３に取り付けられた第３減速ギア２４と噛み合い、モータ４の駆動力を十分に減速させる。
【００２８】
前記第２軸２３には、前記第３減速ギア２４と一緒に案内ピニオンギア２５が取り付けられている。該案内ピニオンギア２５は、第３軸２６に取り付けられた固定カムギア２７と、同第３軸２６に摺動可能に取り付けられた可動ギア２８と同時に噛み合う。固定カムギア２７には、可動ギア２８側へ突出される山形のカム突起２７ａが形成され、可動ギア２８には、カム突起２７ａが嵌めこまれる作動溝２８ａが形成されている。また、可動ギア２８の歯の数は、固定カムギア２７よりも１〜２つ少なく形成されている。このため、固定カムギア２７と、可動ギア２８は、回転比が異なる。
【００２９】
第３軸２６には可動ギア２８を固定カムギア２７側へ押圧する第１バネ２９が備えられている。固定カムギア２７と可動ギア２８の回転比の違いに伴って、カム突起２７ａと作動溝２８ａの位置が重なると、両ギア（２７、２８）は接面し、カム突起２７ａと作動溝２８ａの位置がずれると、両ギア（２７、２８）は離れる。
【００３０】
前記可動ギア２８と前記第１バネ２９の間には、可動ギア２８と一体化して可動する可動ピニオンギア３０が取り付けられている。可動ピニオンギア３０は、前記固定カムギア２７と前記可動ギア２８が接面した際、第７軸４３に取り付けられた第１足駆動ギア４４と噛み合う。
【００３１】
次に、図３（II）を用いて説明する。可動ピニオンギア３０は、前記固定カムギア２７と前記可動ギア２８が接面した際、上述の第７軸４３に取り付けられた第１足駆動ギア４４と噛み合う（図３（Ｉ）参照）と同時に、第８軸４６に尾駆動クランク７と一体に取り付けられた尾駆動ギア４７とも噛み合う。
【００３２】
可動ピニオンギア３０は、前記固定カムギア２７と前記可動ギア２８が離れた際、第４軸３１に取り付けられている固定クラッチギア３２と、同第４軸３１に取り付けられている固定クラッチギア３２と同一の外径を有する第１遊びギア３３と同時に噛み合う。固定クラッチギア３２の内周には、鋸歯型クラッチ３２ａが形成されている。また、第４軸３１には、固定クラッチギア３２より小さい外径を有する第２遊びギア３４が回転自在に取り付けられている。該第２遊びギア３４と前記固定クラッチギア３２によって、前記第１遊びギア３３を両側から挟む構成である。
【００３３】
更に、前記第４軸３１には、可動クラッチピニオンギア３６と、該可動クラッチピニオンギア３６を固定クラッチギア３２側へ押圧するための第２バネ３５が取り付けられている。可動クラッチピニオンギア３６の外周には、鋸歯型クラッチ３６ａが形成されており、逆駆動時に限って、該鋸歯型クラッチ３６ａと、前記固定クラッチギア３２内周の鋸歯型クラッチ３２ａと嵌合するように設計されている。
【００３４】
前記第２遊びギア３４は、第５軸３７に取り付けられている第３遊びギア３８と噛み合う。また、前記可動クラッチピニオンギア３６は、第５軸３７に可動クランク６と一体に取り付けられている足位置可動ギア３９と噛み合う。
【００３５】
前記第３遊びギア３８は、第６軸４０に取り付けられている可動クラッチギア４１と噛み合う。可動クラッチギア４１の内周には鋸歯型クラッチ４１ａが形成されており、同第６軸４０に取り付けられている頭駆動クランク８に形成された鋸歯型クラッチ８ａと嵌合する。これら鋸歯型クラッチ４１ａ、及び８ａは逆駆動時に限って嵌合されるよう、同第６軸に取り付けられた第１復元バネ４２で弾性支持されている。
【００３６】
次に図３中（III）を用いて説明する。第２遊びギア３４は、上述の第５軸３７に取り付けられている第３遊びギア３８と噛み合う（図３中（II）参照）と同時に、第７軸４３に第１足駆動クランク６１と一体に取り付けられた第２足駆動ギア４５とも噛み合う。そして、第７軸４３に取り付けられた第１足駆動ギア４４は、上記図３中（Ｉ）で説明した前記固定カムギア２７と前記可動ギア２８が接面した際、可動ピニオンギア３０と噛み合う（図３中（Ｉ）参照）。
【００３７】
上述した各軸はフレーム３に軸固定されている。また、上述した各鋸歯型クラッチは、動力を伝達するために使用するものであり、一側方向だけに動力を伝達する一方向クラッチである。
【００３８】
＜第１実施形態のモータ正回転＞
方向転換機構（スイッチ）１２を操作してモータ４を正回転させると、第１軸２１、及び第２軸２３に取り付けられた第１減速ギア２２ａ、第２減速ギア２２ｂ、及び第３減速ギア２４によって十分に減速された駆動力が、第２軸２３に取り付けられた案内ピニオンギア２５を介して、第３軸２６に取り付けられている固定カムギア２７、及び可動ギア２８を一緒に駆動させる。
【００３９】
（１）第１実施形態のモータ正回転時の第１動作
第１動作は、吠えて尾を振りながら後方へ歩く動作である。図４及び図５を用いて、第１実施形態のモータ正回転時の第１動作の様子を説明する。図４は、第１実施形態のモータ正回転時の第１動作の際の、ギア部５のギア配列の例を示す上方視内部分解模式図である。図５は、第１実施形態のモータ正回転時の第１動作の際の、ギア部５のギア配列の例を示す断面図である。
【００４０】
該第１動作時のギア配列は、第３軸２６に取り付けられた固定カムギア２７のカム突起２７ａと可動ギア２８の作動溝２８ａの位置が重なり、固定カムギア２７と可動ギア２８が接面した状態である（図４中（Ｉ）参照）。このとき、同第３軸２６に取り付けられた可動ピニオンギア３０は、第７軸４３の第１足駆動ギア４４と噛み合い、第７軸４３に取り付けられた第１足駆動クランク６１、及び第２足駆動クランク６２を駆動して、後方へ歩いて行く動作が実行される（図４中（III）参照）。
【００４１】
また、可動ピニオンギア３０は、第８軸４６の尾駆動ギア４７とも噛み合い、同第８軸４６の尾駆動クランク７を駆動して、尾１０を振る動作が実行される（図４中（II）参照）。
【００４２】
更に、第７軸４３に取り付けられた第２足駆動ギア４５が、第４軸３１の第２遊びギア３４を逆駆動させる（図４中（III）参照）。この駆動力は第５軸３７の第３遊びギア３８を介して第６軸４０の可動クラッチギア４１に伝達される（図４中（II）参照）。この際、可動クラッチギア４１は逆駆動するため、可動クラッチギア４１の内側に形成された鋸歯型クラッチ４１ａは、頭駆動クランク８の鋸歯型クラッチ８ａに動力を伝達し、吠える動作も実行される。
【００４３】
（２）第１の実施形態のモータ正回転時の第２動作
第２動作は、前方へ歩いていく動作である。図６及び図７を用いて、第１実施形態のモータ正回転時の第２動作の様子を説明する。図６は、第１実施形態のモータ正回転時の第２動作の際の、ギア部５のギア配列の例を示す上方視内部分解模式図である。図７は、第１実施形態のモータ正回転時の第２動作の際の、ギア部５のギア配列の例を示す断面図である。
【００４４】
該第２動作時のギア配列は、第３軸２６に取り付けられた固定カムギア２７のカム突起２７ａと可動ギア２８の作動溝２８ａの位置がずれ、固定カムギア２７と可動ギア２８が離れた状態である（図６中（Ｉ）参照）。このとき、第３軸２６に取り付けられた可動ピニオンギア３０は、第４軸３１の固定クラッチギア３２及び第１遊びギア３３と噛み合い、動力を伝達する（図６中（II）参照）。
【００４５】
第４軸３１上の固定クラッチギア３２及び第１遊びギア３３に動力が伝達されると、同第４軸３１の第２遊びギア３４も駆動される。該第２遊びギア３４は、第７軸４３の第２足駆動ギア４５と噛み合い、同第７軸４３の第１足駆動クランク６１、及び第２足駆動クランク６２を駆動して前方へ歩いて行く動作が実行される（図６中（III）参照）。このとき、第４軸３１の可動クラッチピニオンギア３６は正駆動するため、同第４軸３１の固定クラッチギア３２の内側に形成された鋸歯型クラッチ３２ａと、可動クラッチピニオンギア３６の鋸歯型クラッチ３６ａは嵌合しない。そのため、可動クラッチピニオンギア３６は駆動しない。従って、第５軸３７への動力は遮断された状態となる。
【００４６】
（３）第１の実施形態のモータ正回転時の第１動作、及び際２動作のまとめ
固定カムギア２７と可動ギア２８の回転比の違いに伴って、カム突起２７ａと作動溝２８ａの嵌合、非嵌合状態が繰り返されることにより、固定カムギア２７と可動ギア２８の接面、非接面が繰り返される。この繰り返しにより、吠えて尾１０を振りながら後方へ歩く第１動作と、前方へ歩く第２動作とが繰り返して具現される。
【００４７】
＜第１の実施形態のモータ逆回転＞
方向転換機構（スイッチ）１２を操作してモータ４を逆回転させると、第１、２軸２１、２３に取り付けられた第１減速ギア２２ａ、第２減速ギア２２ｂ、及び第３減速ギア２４によって十分に減速された駆動力が、第２軸２３に結合されている案内ピニオンギア２５を介して、第３軸２６に結合されている固定カムギア２７及び可動ギア２８を逆駆動させる。
【００４８】
（１）第１実施形態のモータ逆回転時の第１動作
第１動作は、尾を振りながら前方へ歩いて行く動作である。図８及び図９を用いて、第１実施形態のモータ逆回転時の第１動作の様子を説明する。図８は、第１実施形態のモータ逆回転時の第１動作の際の、ギア部５のギア配列の例を示す上方視内部分解模式図である。図９は、第１実施形態のモータ逆回転時の第１動作の際の、ギア部５のギア配列の例を示す断面図である。
【００４９】
該第１動作時のギア配列は、第３軸２６に取り付けられた固定カムギア２７のカム突起２７ａと可動ギア２８の作動溝２８ａの位置が重なり、固定カムギア２７と可動ギア２８が接面した状態である（図８中（Ｉ）参照）。このとき、同第３軸２６に取り付けられた可動ピニオンギア３０は、第７軸４３の第１足駆動ギア４４と噛み合い、第７軸４３に取り付けられた第１足駆動クランク６１、及び第２足駆動クランク６２を駆動して、前方へ歩いて行く動作が実行される。
【００５０】
また、可動ピニオンギア３０は、第８軸４６の尾駆動ギア４７とも噛み合い、同第８軸４６の尾駆動クランク７を駆動して、尾１０を振る動作が実行される（図８中（II）参照）。
【００５１】
更に、第７軸４３に取り付けられた第２足駆動ギア４５が、第４軸３１の第２遊びギア３４を正駆動させる（図８中（III）参照）。この駆動力は第５軸３７の第３遊びギア３８を介して第６軸４０の可動クラッチギア４１に伝達される（図８中（II）参照）。この際、可動クラッチギア４１は正駆動するため、可動クラッチギア４１の内側に形成された鋸歯型クラッチ４１ａは、頭駆動クランク８の鋸歯型クラッチ８ａへ動力を伝達せず、吠える動作は実行されない。
【００５２】
（２）第１実施形態のモータ逆回転時の第２動作
第２動作は、頭を振って吠えながら座る繰り返し動作とともに足が動くことに伴って体を上下左右に振る動作である。図１０及び図１１を用いて、第１実施形態のモータ逆回転時の第１動作の様子を説明する。図１０は、第１実施形態のモータ逆回転時の第２動作の際の、ギア部５のギア配列の例を示す上方視内部分解模式図である。図１１は、第１実施形態のモータ逆回転時の第２動作の際の、ギア部５のギア配列の例を示す断面図である。
【００５３】
該第２動作時のギア配列は、第３軸２６に取り付けられた固定カムギア２７のカム突起２７ａと可動ギア２８の作動溝２８ａの位置がずれ、固定カムギア２７と可動ギア２８が離れた状態である（図１０中（Ｉ）参照）。このとき、第３軸２６に取り付けられた可動ピニオンギア３０は、第４軸３１の固定クラッチギア３２及び第１遊びギア３３と噛み合い、動力を伝達する（図１０中（II）参照）。
【００５４】
第４軸３１上の固定クラッチギア３２及び第１遊びギア３３は正駆動するため、固定クラッチギア３２の内側に形成された鋸歯型クラッチ３２ａは、可動クラッチピニオンギア３６の鋸歯型クラッチ３６ａと嵌合する。そして、第５軸３７へ動力を伝達し、第５軸３７の第３遊びギア３８を介して第６軸４０の可動クラッチギア４１を逆駆動させる。そのため、可動クラッチギア４１の内側に形成された鋸歯型クラッチ４１ａと頭駆動クランク８の鋸歯型クラッチ８ａが嵌合し、頭を振って吠える動作が実行される（図１０中（II）参照）。
【００５５】
また、第４軸３１の第２遊びギア３４は、第７軸４３の第２足駆動ギア４５と噛み合い、同第４軸３１の第１足駆動クランク６１、及び第２足駆動クランク６２を駆動することにより、後方へ歩く動作が実行される（図１０中（III）参照）。
【００５６】
第５軸３７の可動クランク６は、図１２に示すように、後足９ｂとその回転中心を可動させるロッド６ａで連結することができる。この場合、第５軸３７へ動力が伝達され、可動クランク６が駆動すると、後足９ｂが引っ張られ、座る動作が実行される。座る動作具現状態の子犬作動玩具の様子を図１３で示す。
【００５７】
また、第５軸３７の可動クランク６は、図１４に示すように、前足９ａとロッド６ｂと連結することができる。この場合、第５軸３７へ動力が伝達され、可動クランク６が駆動すると、前足９ａの固定角度が変化し、前方へ伏せる動作が実行される。前方へ伏せる動作具現状態の子犬作動玩具の様子を図１５で示す。
【００５８】
（３）第１の実施形態のモータ逆回転時の第１動作、及び際２動作のまとめ
固定カムギア２７と可動ギア２８の回転比の違いに伴って、カム突起２７ａと作動溝２８ａの嵌合、非嵌合状態が繰り返されることにより、固定カムギア２７と可動ギア２８の接面、非接面が繰り返される。この繰り返しにより、尾を振りながら前方へ歩く第１動作と、頭を振って吠えながら座る繰り返し動作とともに足が動くことに伴って体を上下左右に振る第２動作とが繰り返して具現される。
【００５９】
＜第２実施形態の概要＞
本考案の第２の実施形態は、モータの回転方向を簡単に制御するために、子犬作動玩具に設置されている方向転換機構（スイッチ）の操作によってモータの回転方向を変えて子犬作動玩具の動作が相異に演出できるようにギア配列したものである。モータ正回転時、吠えて尾１０を振りながら足が動くことに伴って体を上下左右に振る第１動作と、前方に走る第２動作とを繰り返し、モータ逆回転時、頭を振って吠えながら前足９ａを前方へ伸ばす動作を繰り返す第１動作と、尾１０を振りながら前方に走る第２動作とを繰り返すことを特徴とする。
【００６０】
＜第２実施形態の構成例＞
第２実施形態に係る子犬作動玩具の構成例は、第１実施形態にかかる子犬作動玩具の構成例に以下の構造を付加したものである。第２実施形態に係る子犬作動玩具の特徴部分の構成例について、図１６、および図１７を用いて説明する。
【００６１】
図１６は、第２実施形態に係る子犬作動玩具のギア部５のギア配列の例を示す断面図である。
【００６２】
第７軸４３に取り付けられた第２足駆動ギア４５は、第３バネ５０の弾性支持力によって第１足駆動クランク６１側に、摺動可能に密着されている。第２足駆動ギア４５と第１足駆動クランク６１との接地面には、第２足駆動ギア４５が正駆動時に動力を伝達し、逆駆動時に動力を遮断する第１鋸歯型クラッチ５１、第２鋸歯型クラッチ５２が形成されている（図１６中（Ａ）参照）。
【００６３】
前記第２足駆動ギア４５の反対側に位置する第２足駆動クランク６２は、第７軸４３と分離可能に構成されている。第２足駆動クランク６２には係止突起５３が、第７軸４３には係止突起５４がそれぞれ形成されている（図１６中（Ｂ）参照）。係止突起５３、５４は、第１足駆動ギア４４が正駆動時には両側の前足９ａを揃えた状態で動くように結合し、逆駆動時には両側の前足９ａが交差された状態で動くよう結合するように構成されている。
【００６４】
図１７は、第２実施形態に係る子犬作動玩具の内部構成を示す斜視図である。
【００６５】
前記第１足駆動クランク６１（図示せず）に結合されている前足９ａは、ロッド５５を介して、第５軸３７（図示せず）に固定される可動クランク６と左右の同一の位置に連結されている。可動クランク６にロッド５５を固定する結合部と、子犬型ケース２との間に、第２復元バネ５６を設置している。
【００６６】
＜第２実施形態のモータ正回転＞
方向転換機構（スイッチ）１２を操作してモータ４を正回転させると、第１軸２１、及び２軸２３に取り付けられている第１減速ギア２２、第２減速ギア、及び第３減速ギア２４によって十分に減速された駆動力が、第２軸２３に取り付けられている案内ピニオンギア２５を介して、第３軸２６に取り付けられている固定カムギア２７、及び可動ギア２８を一緒に駆動させる。
【００６７】
（１）第２実施形態のモータ正回転時の第１動作
第１動作は、吠えて尾１０を振りながら足が動くことに伴って体を上下左右に振る動作である。図１８及び図１９を用いて、第１実施形態のモータ正回転時の第１動作の様子を説明する。図１８は、第２実施形態のモータ正回転時の第１動作の際の、ギア部５のギア配列の例を示す上方視内部分解模式図である。図１９は、第２実施形態のモータ正回転時の第１動作の際の、ギア部５のギア配列の例を示す断面図である。
【００６８】
該第１動作時のギア配列は、第３軸２６に取り付けられた固定カムギア２７のカム突起２７ａと可動ギア２８の作動溝２８ａの位置が重なり、固定カムギア２７と可動ギア２８が接面した状態である（図１８中（Ｉ）参照）。このとき、同第３軸２６に取り付けられた可動ピニオンギア３０は、第７軸４３の第１足駆動ギア４４と噛み合い、第７軸４３に取り付けられた第１足駆動クランク６１、及び第２足駆動クランク６２を駆動して、後方へ歩いて行く動作が実行される。このとき、第１足駆動ギア４４は逆駆動するため、図１９中（Ｂ）で示す係止突起５３、５４によって両側の前足９ａが交差された状態で動く。
【００６９】
また、可動ピニオンギア３０は、第８軸４６の尾駆動ギア４７とも噛み合い、同第８軸４６の尾駆動クランク７を駆動して、尾１０を振る動作が実行される（図１８中（II）参照）。
【００７０】
更に、第７軸４３に取り付けられた第２足駆動ギア４５が、第４軸３１の第２遊びギア３４を逆駆動させる（図１８中（III）参照）。この駆動力は第５軸３７の第３遊びギア３８を介して第６軸４０の可動クラッチギア４１に伝達される（図１８中（II）参照）。この際、可動クラッチギア４１は逆駆動するため、可動クラッチギア４１の内側に形成された鋸歯型クラッチ４１ａは、頭駆動クランク８の鋸歯型クラッチ８ａに動力を伝達し、吠える動作も実行される。
【００７１】
以上説明した第２実施形態のモータ正回転時における第１動作具現状態を、図２０に示す。
【００７２】
（２）第２の実施形態のモータ正回転時の第２動作
第２動作は、前方へ走る動作である。図２１及び図２２を用いて、第２実施形態のモータ正回転時の第２動作の様子を説明する。図２１は、第２実施形態のモータ正回転時の第２動作の際の、ギア部５のギア配列の例を示す上方視内部分解模式図である。図２２は、第２実施形態のモータ正回転時の第２動作の際の、ギア部５のギア配列の例を示す断面図である。
【００７３】
該第２動作時のギア配列は、第３軸２６に取り付けられた固定カムギア２７のカム突起２７ａと可動ギア２８の作動溝２８ａの位置がずれ、固定カムギア２７と可動ギア２８が離れた状態である（図２１中（Ｉ）参照）。このとき、第３軸２６に取り付けられた可動ピニオンギア３０は、第４軸３１の固定クラッチギア３２及び第１遊びギア３３と噛み合い、動力を伝達する（図２１中（II）参照）。
【００７４】
第４軸３１上の固定クラッチギア３２及び第１遊びギア３３に動力が伝達されると、同第４軸３１の第２遊びギア３４も駆動される。該第２遊びギア３４は、第７軸４３の第２足駆動ギア４５と噛み合い、同第７軸４３の第１足駆動クランク６１、及び第２足駆動クランクを駆動して前方へ走る動作が実行される（図２１中（III）参照）。このとき、第２足駆動ギア４５は正駆動するため、第１鋸歯型クラッチ５１、第２鋸歯型クラッチ５２を介し、第１足駆動ギア４４に動力を伝達する（図２２（Ａ）参照）。第２足駆動ギア４５と同様に第１足駆動ギア４４も正駆動するため、係止突起５３、５４によって両側の前足９を揃えた状態で動く（図２２（Ｂ）参照）。
【００７５】
また、第４軸３１の可動クラッチピニオンギア３６は正駆動するため、同第４軸３１の固定クラッチギア３２の内側に形成された鋸歯型クラッチ３２ａと、可動クラッチピニオンギア３６の鋸歯型クラッチ３６ａは嵌合しない（図２１中（II）参照）。そのため、可動クラッチピニオンギア３６は駆動しない。従って、第５軸３７への動力は遮断された状態となる。
【００７６】
（３）第２の実施形態のモータ正回転時の第１動作、及び際２動作のまとめ
固定カムギア２７と可動ギア２８の回転比の違いに伴って、カム突起２７ａと作動溝２８ａの嵌合、非嵌合状態が繰り返されることにより、固定カムギア２７と可動ギア２８の接面、非接面が繰り返される。この繰り返しにより、吠えて尾１０を振りながら足が動くことに伴って体を上下左右に振る第１動作と、前方へ走る第２動作とが繰り返して具現される。
【００７７】
＜第２の実施形態のモータ逆回転＞
方向転換機構（スイッチ）１２を操作してモータ４を逆回転させると、第１、２軸２１、２３に結合されている第１減速ギア２２ａ、第２減速ギア２２ｂ、及び第３減速ギア２４によって十分に減速された駆動力が、第２軸２３に結合されている案内ピニオンギア２５を介して、第３軸２６に結合されている固定カムギア２７及び可動ギア２８を逆駆動させる。
【００７８】
（１）第２実施形態のモータ逆回転時の第１動作
第１動作は、頭を振って吠えながら前足９ａを前方へ伸ばす動作を繰り返す動作である。図２３及び図２４を用いて、第２実施形態のモータ逆回転時の第１動作の様子を説明する。図２３は、第２実施形態のモータ逆回転時の第１動作の際の、ギア部５のギア配列の例を示す上方視内部分解模式図である。図２４は、第２実施形態のモータ逆回転時の第１動作の際の、ギア部５のギア配列の例を示す断面図である。
【００７９】
該第１動作時のギア配列は、第３軸２６に取り付けられた固定カムギア２７のカム突起２７ａと可動ギア２８の作動溝２８ａの位置がずれ、固定カムギア２７と可動ギア２８が離れた状態である（図２３中（Ｉ）参照）。このとき、第３軸２６に取り付けられた可動ピニオンギア３０は、第４軸３１の固定クラッチギア３２及び第１遊びギア３３と噛み合い、動力を伝達する（図２３中（II）参照）。
【００８０】
第４軸３１上の固定クラッチギア３２及び第１遊びギア３３は正駆動するため、固定クラッチギア３２の内側に形成された鋸歯型クラッチ３２ａは、可動クラッチピニオンギア３６の鋸歯型クラッチ３６ａと嵌合する。そして、第５軸３７へ動力を伝達し、第５軸３７の第３遊びギア３８を介して第６軸４０の可動クラッチギア４１を逆駆動させる。そのため、可動クラッチギア４１の内側に形成された鋸歯型クラッチ４１ａと頭駆動クランク８の鋸歯型クラッチ８ａが結合し、頭を振って吠える動作が実行される（図２３中（II）参照）。
【００８１】
また、第４軸の第２遊びギア３４は、第７軸４３の第２足駆動ギア４５と噛み合い、第２足駆動ギアを逆駆動させる。そのため、第１鋸歯型クラッチ５１、第２鋸歯型クラッチ５２により第７軸４３及び第１足駆動クランク６１への動力が遮断される（図２４（Ａ）参照）。
【００８２】
更に、図２５に示すように、前足９ａの上端は、第５軸３７（図示せず）にロッド５５で連結されているので、第５軸３７の駆動力がロッド５５を介して前足９ａに伝達され、前足９ａを前方に伸ばす動作が実行される（図２６、図２７参照）。そして、ロッド５５には、第２復元バネ５６が連結されているので、迅速に前足９ａを元の位置に戻す動作が実行される（図２８参照）。このように、前足９ａを前方に伸ばす動作（図２６、図２７参照）と、前足９ａを元の位置に戻す動作（図２８参照）が繰り返し行われ、まるで、子犬が警戒、あるいは喜ぶ動作と類似した動作を表現することができる。
【００８３】
（２）第２実施形態のモータ逆回転時の第２動作
第２動作は、尾１０を振りながら前方に走る動作である。図２９及び図３０を用いて、第２実施形態のモータ逆回転時の第２動作の様子を説明する。図２９は、第２実施形態のモータ逆回転時の第２動作の際の、ギア部５のギア配列の例を示す上方視内部分解模式図である。図３０は、第２実施形態のモータ逆回転時の第２動作の際の、ギア部５のギア配列の例を示す断面図である。
【００８４】
該第１動作時のギア配列は、第３軸２６に取り付けられた固定カムギア２７のカム突起２７ａと可動ギア２８の作動溝２８ａの位置が重なり、固定カムギア２７と可動ギア２８が接面した状態である（図２９中（Ｉ）参照）。このとき、同第３軸２６に取り付けられた可動ピニオンギア３０は、第７軸４３の第１足駆動ギア４４と噛み合い、第７軸４３に取り付けられた第１足駆動クランク６１、及び第２足駆動クランク６２を駆動して、前方へ走る動作が実行される。
【００８５】
また、可動ピニオンギア３０は、第８軸４６の尾駆動ギア４７とも噛み合い、同第８軸４６の尾駆動クランク７を駆動して、尾１０を振る動作が実行される（図２９中（II）参照）。
【００８６】
更に、第７軸４３に取り付けられた第２足駆動ギア４５が、第４軸３１の第２遊びギア３４を正駆動させる（図２９中（III）参照）。この駆動力は第５軸３７の第３遊びギア３８を介して第６軸４０の可動クラッチギア４１に伝達される（図２９中（II）参照）。この際、可動クラッチギア４１は正駆動するため、可動クラッチギア４１の内側に形成された鋸歯型クラッチ４１ａは、頭駆動クランク８の鋸歯型クラッチ８ａへ動力を伝達せず、吠える動作は実行されない。
【００８７】
また、このとき、第４３軸の第１足駆動ギア４４は正駆動する。そのため、係止突起５３、５４によって両側の前足９を揃えた状態で動く（図３０（Ｂ）参照）。
【００８８】
（３）第２の実施形態のモータ逆回転時の第１動作、及び際２動作のまとめ
固定カムギア２７と可動ギア２８の回転比の違いに伴って、カム突起２７ａと作動溝２８ａの嵌合、非嵌合状態が繰り返されることにより、固定カムギア２７と可動ギア２８の接面、非接面が繰り返される。この繰り返しにより、頭を振って吠えながら前足９ａを前方へ伸ばす動作を繰り返す第１動作と、尾１０を振りながら前方に走る第２動作とが繰り返して具現される。
【図面の簡単な説明】
【００８９】
【図１】本考案に係る子犬作動玩具１の構成例を示す側面図である。
【図２】ギア部５の内部構成を示す側面図である。
【図３】ギア部５のギア配列の例を示す上方視内部分解模式図である。
【図４】第１実施形態のモータ正回転時の第１動作の際の、ギア部５のギア配列の例を示す上方視内部分解模式図である。
【図５】第１実施形態のモータ正回転時の第１動作の際の、ギア部５のギア配列の例を示す断面図である。
【図６】第１実施形態のモータ正回転時の第２動作の際の、ギア部５のギア配列の例を示す上方視内部分解模式図である。
【図７】第１実施形態のモータ正回転時の第２動作の際の、ギア部５のギア配列の例を示す断面図である。
【図８】第１実施形態のモータ逆回転時の第１動作の際の、ギア部５のギア配列の例を示す上方視内部分解模式図である。
【図９】第１実施形態のモータ逆回転時の第１動作の際の、ギア部５のギア配列の例を示す断面図である。
【図１０】第１実施形態のモータ逆回転時の第２動作の際の、ギア部５のギア配列の例を示す上方視内部分解模式図である。
【図１１】第１実施形態のモータ逆回転時の第２動作の際の、ギア部５のギア配列の例を示す断面図である。
【図１２】可動クランク６と足９ａ、９ｂの結合状態を示す斜視図である。
【図１３】座る動作具現状態の子犬作動玩具１の様子を示す図である。
【図１４】可動クランク６と足部９ａ、９ｂの結合状態を示す斜視図である。
【図１５】前方へ伏せる動作具現状態の子犬作動玩具１の様子を示す図である。
【図１６】第２実施形態に係る子犬作動玩具１のギア部５のギア配列の例を示す断面図である。
【図１７】第２実施形態に係る子犬作動玩具１の内部構成を示す斜視図である。
【図１８】第２実施形態のモータ正回転時の第１動作の際の、ギア部５のギア配列の例を示す上方視内部分解模式図である。
【図１９】第２実施形態のモータ正回転時の第１動作の際の、ギア部５のギア配列の例を示す断面図である。
【図２０】第２実施形態のモータ正回転時における第１動作具現状態を示す図である。
【図２１】第２実施形態のモータ正回転時の第２動作の際の、ギア部５のギア配列の例を示す上方視内部分解模式図である。
【図２２】第２実施形態のモータ正回転時の第２動作の際の、ギア部５のギア配列の例を示す断面図である。
【図２３】第２実施形態のモータ逆回転時の第１動作の際の、ギア部５のギア配列の例を示す上方視内部分解模式図である。
【図２４】第２実施形態のモータ逆回転時の第１動作の際の、ギア部５のギア配列の例を示す断面図である。
【図２５】第２実施形態のモータ逆回転時の第１動作の際の、子犬作動玩具の内部構成を示す斜視図である。
【図２６】第２実施形態のモータ逆回転時の第１動作の際の、前足９ａを前方に伸ばす動作具現状態を示す右側面図である。
【図２７】第２実施形態のモータ逆回転時の第１動作の際の、前足９ａを前方に伸ばす動作具現状態を示す左側面図である。
【図２８】第２実施形態のモータ逆回転時の第１動作の際の、前足９ａを元の位置へ戻す動作具現状態を示す右側面図である。
【図２９】第２実施形態のモータ逆回転時の第２動作の際の、ギア部５のギア配列の例を示す上方視内部分解模式図である。
【図３０】第２実施形態のモータ逆回転時の第２動作の際の、ギア部５のギア配列の例を示す断面図である。
【符号の説明】
【００９０】
１    子犬作動玩具                    
２    子犬型ケース                    
３    フレーム                        
４    モータ                          
５    ギア部                          
６    可動クランク                          
６１  第１足駆動クランク
６２  第２足駆動クランク                            
６ａ、６ｂ    ロッド                                
７  尾駆動クランク                                  
８    頭駆動クランク                  
８ａ    のこ歯型クラッチ
９ａ    前足
９ｂ    後足                                        
１０    尾部                          
１１    頭部                          
１２    方向転換機構（スイッチ）      
２０    モータギア                    
２１    第１軸                        
２２ａ    第１減速ギア
２２ｂ    第２減速ギア
２３    第２軸
２４    第３減速ギア                  
２５    案内ピニオンギア                            
２６    第３軸                        
２７    固定カムギア                  
２７ａ    カム突起                    
２８    可動ギア                      
２８ａ    作動溝                      
２９    第１バネ                      
３０    可動ピニオンギア                            
３１    第４軸                        
３２    固定クラッチギア              
３２ａ    鋸歯型クラッチ              
３３    第１遊びギア
３４    第２遊びギア                  
３５    第２バネ                      
３６    可動クラッチピニオンギア      
３６ａ    のこ歯型クラッチ            
３７    第５軸                        
３８    第３遊びギア                  
３９    足位置可動ギア  
４０    第６軸                        
４１    可動クラッチギア              
４１ａ    のこ歯型クラッチ            
４２    第１復元バネ                  
４３    第７軸                        
４４    第１足駆動ギア                
４５    第２足駆動ギア
４６    第８軸                        
４７    尾駆動ギア                    
５０  第３バネ
５１    第１鋸歯型クラッチ
５２    第２鋸歯型クラッチ
５３、５４    係止突起
５５    ロッド
５６    第２復元バネ
【図１】
0003128518.tif 000003
【図２】
0003128518.tif 000004
【図３】
0003128518.tif 000005
【図４】
0003128518.tif 000006
【図５】
0003128518.tif 000007
【図６】
0003128518.tif 000008
【図７】
0003128518.tif 000009
【図８】
0003128518.tif 000010
【図９】
0003128518.tif 000011
【図１０】
0003128518.tif 000012
【図１１】
0003128518.tif 000013
【図１２】
0003128518.tif 000014
【図１３】
0003128518.tif 000015
【図１４】
0003128518.tif 000016
【図１５】
0003128518.tif 000017
【図１６】
0003128518.tif 000018
【図１７】
0003128518.tif 000019
【図１８】
0003128518.tif 000020
【図１９】
0003128518.tif 000021
【図２０】
0003128518.tif 000022
【図２１】
0003128518.tif 000023
【図２２】
0003128518.tif 000024
【図２３】
0003128518.tif 000025
【図２４】
0003128518.tif 000026
【図２５】
0003128518.tif 000027
【図２６】
0003128518.tif 000028
【図２７】
0003128518.tif 000029
【図２８】
0003128518.tif 000030
【図２９】
0003128518.tif 000031
【図３０】
0003128518.tif 000032
【手続補正書】
【提出日】平成18年11月2日(2006.11.2)
【手続補正１】
【補正対象書類名】実用新案登録請求の範囲
【補正対象項目名】請求項１
【補正方法】変更
【補正の内容】
【請求項１】
方向転換機構（１２）により正逆方向に駆動するモータ（４）によって作動する子犬作動玩具（１）であって、
子犬形ケース（２）内に、前記モータ（４）と、
（Ｉ）モータ軸に取り付けられたモータギア（２０）と噛み合ってモータ回転力を減速させる第１減速ギア（２２ａ）と、第２減速ギア（２２ｂ）と、が取り付けられた第１軸（２１）、
（II）前記第２減速ギア（２２ｂ）と噛み合う第３減速ギア（２４）と、案内ピニオンギア（２５）と、が取り付けられた第２軸（２３）、
（III）前記案内ピニオンギア（２５）と噛み合い、かつ、カム突起（２７ａ）を有する固定カムギア（２７）と、前記案内ピニオンギア（２５）と噛み合い、かつ、前記カム突起（２７ａ）が嵌入する作動溝（２８ａ）を有する可動ギア（２８）と、該可動ギア（２８）を前記固定カムギア（２７）へ押圧する第１バネ（２９）と、前記可動ギア（２８）と前記バネ（２９）とで挟持された可動ピニオンギア（３０）と、が取り付けられた第３軸（２６）、
（IV）前記カム突起（２７ａ）が前記作動溝（２８ａ）へ非嵌入時、前記可動ピニオンギア（３０）と噛み合う固定クラッチギア（３２）、及び第１遊びギア（３３）と、該第１遊びギア（３３）より小さい外径の第２遊びギア（３４）と、前記固定クラッチギア（３２）とクラッチ結合する可動クラッチピニオンギア（３６）と、該可動クラッチピニオンギア（３６）を前記固定クラッチギア（３２）へ押圧する第２バネ（３５）と、が取り付けられた第４軸（３１）、
（Ｖ）前記第２遊びギア（３４）と噛み合う第３遊びギア（３８）と、前記可動クラッチピニオンギア（３６）と噛み合う足位置可動ギア（３９）と、子犬作動玩具（１）の足部（９ａ、９ｂ）に連結される可動クランク（６）と、が取り付けられた第５軸（３７）、
（VI）前記第３遊びギア（３８）に噛み合う可動クラッチギア（４１）と、子犬作動玩具１の頭部（１１）に連結される頭駆動クランク（８）と、前記可動クラッチギア（４１）を前記頭駆動クランク（８）へ押圧する第１復元バネ（４２）と、が取り付けられた第６軸（４０）、
（VII）前記カム突起（２７ａ）が前記作動溝（２８ａ）へ嵌入時、前記可動ピニオンギア（３０）と噛み合う第１足駆動ギア（４４）と、前記第２遊びギア（３４）と噛み合う第２足駆動ギア（４５）と、子犬作動玩具（１）の足部（９ａ、９ｂ）に連結される第１及び第２足駆動クランク（６１、６２）と、が取り付けられた第７軸（４３）、
（VIII）前記カム突起（２７ａ）が前記作動溝（２８ａ）へ嵌入時、前記第３軸（２６）の前記可動ピニオンギア（３０）と噛み合う尾駆動ギア（４７）と、子犬作動玩具（１）の尾部（１０）に連結される尾駆動クランク（７）と、が取り付けられた第８軸（４６）、 
を少なくとも含むギア部（５）と、
が設けられた子犬作動玩具。